(57)【特許請求の範囲】
【請求項１】
耐水性及び水分散性を有する帯状のシートからなり、前記シートの長手方向の端部を互いに接合してなる環形状を有する採便シートであって、
前記シートの全長の半分の長さに折り、２枚の前記シートが重なった状態において、両端から同距離の位置を含む一定の面積を有する領域の、前記採便シート使用時に排泄した便が載る位置に撥水性を有する材料を塗布した、
採便シート。
【請求項２】
耐水性及び水分散性を有する帯状のシートからなり、前記シートの長手方向の端部を互いに接合してなる環形状を有し、
前記シートの全長の半分の長さに折り、２枚の前記シートが重なった状態において、両端から同距離の位置を含む一定の面積を有する領域の、２枚の前記シートの互いに同じ方向を向いた面のうち、少なくともいずれか一方に撥水性を有する材料を塗布した、
採便シート。
【請求項３】
前記シート上に便を排泄する位置を示した目印を付した、
請求項１又は２に記載の採便シート。
【請求項４】
耐水性及び水分散性を有する帯状のシートからなり、前記シートの長手方向の端部を互いに接合してなる環形状を有し、
前記シート上に便を排泄する位置を示した目印を付した、
採便シート。
【請求項５】
前記シートの長手方向に直交する切れ目を２つ備えた、
請求項１から４のいずれか１項に記載の採便シート。
【請求項６】
前記採便シートの前記環形状の内側に便座を通して設置したときに、上のシートの最低位置が前記便座の表面から下方に１５±２ｃｍの距離を有する、
請求項１から５のいずれか１項に記載の採便シート。
【発明の詳細な説明】
【技術分野】
【０００１】
本発明は、便を採取する為の採便シートに関する。
【背景技術】
【０００２】
人の医学的検査において採取した便を調べることは、簡易で多くの情報を得られる検査方法として有効である。例えば、ガン検診のための便潜血反応検査や、感染症の予防に有効な便細菌検査、便虫卵検査等は、多くの人を対象として行われている。
【０００３】
医学的検査のために行う採便は、水洗トイレの水たまりに採便シートを浮かべてその上に排泄した便を採取する方法が一般的である。従来の採便シートは、便採取までシート形状を保持できるように適度の耐水性と、採取後にスムーズに排水できるように適度の水分散性を有するものが用いられていた（例えば、特許文献１）。
【０００４】
特許文献１に記載の採便用便受けシートは、木材パルプ等の天然系繊維にマーセル化パルプとレーヨンまたはその一方を含有させることにより、紙の密度を所定値以下とし、サイズ剤を湿式抄紙により内添する。この構成により、水没時間が３分以上となる耐水性と、ほぐれやすさが３０〜２００秒となる水分散性とを有することができると説明している。
【０００５】
他の採便方法として、水たまりの上部に採便具を設置して採取する方法も提案されている（例えば、特許文献２）。
【０００６】
特許文献２に記載の採便具は、便器内の水たまり上部にセットする二つに折りたためる便受け部と、左右の便器縁上面に接着して取り付ける接着部と、接着部と便受け部を繋ぐ繋ぎ部と、を有している。この構成により、水たまりの上部に簡単に設置でき便座を下ろした通常の形態で採便を行う事ができると説明している。
【先行技術文献】
【特許文献】
【０００７】
【特許文献１】特開２００４−１５０９１１号公報
【特許文献２】特開２００６−１０６６６号公報
【発明の概要】
【発明が解決しようとする課題】
【０００８】
特許文献１の採便用便受けシートは、水没するまで所定時間以上かかるという耐水性と、所定時間以下で分散する水分散性を有している。しかし、排便に時間を要する人は、便採取までに所定時間以上が経過してシートが水没してしまい、うまく採取できないという問題があった。また、排泄された便の重量によっては、シートの水没までの時間が早くなり、便が採取できないと言う問題もあった。また、便採取時に水たまりの洗浄水と便が混ざる場合もあり、検査の精度が低下するという問題もあった。
【０００９】
特許文献２の採便具は、便器縁上面に接着する接着部や２つに折りたためる便受け部等から構成され、構造が複雑であるために製造コストや製造時間が増大するという問題があった。また、採便前の設置や採便後の処理に便器や採便具を手で触れる必要があり、不衛生であった。
【００１０】
本発明は、上記事情に鑑みてなされたものであり、簡易な構成で、精度の高い検査が可能な便を確実に採取でき、採便前の設置や採便後の処理が容易な採便シートを提供することを目的とする。
【課題を解決するための手段】
【００１１】
上記目的を達成するため、本発明の第１の観点に係る採便シートは、
耐水性及び水分散性を有する帯状のシートからなり、前記シートの長手方向の端部を互いに接合してなる環形状を有する採便シートであって、
前記シートの全長の半分の長さに折り、２枚の前記シートが重なった状態において、両端から同距離の位置を含む一定の面積を有する領域の、前記採便シート使用時に排泄した便が載る位置に撥水性を有する材料を塗布したことを特徴とする。
【００１２】
また、本発明に係る第２の観点に係る採便シートは、
耐水性及び水分散性を有する帯状のシートからなり、前記シートの長手方向の端部を互いに接合してなる環形状を有し、
前記シートの全長の半分の長さに折り、２枚の前記シートが重なった状態において、両端から同距離の位置を含む一定の面積を有する領域の、２枚の前記シートの互いに同じ方向を向いた面のうち、少なくともいずれか一方に撥水性を有する材料を塗布したことを特徴とする。
前記シート上に便を排泄する位置を示した目印を付してもよい。
【００１３】
また、本発明に係る第３の観点に係る採便シートは、
耐水性及び水分散性を有する帯状のシートからなり、前記シートの長手方向の端部を互いに接合してなる環形状を有し、
前記シート上に便を排泄する位置を示した目印を付したことを特徴とする。
【００１４】
前記シートの長手方向に直交する切れ目を２つ備えてもよい。
【００１５】
前記採便シートの前記環形状の内側に便座を通して設置したときに、上のシートの最低位置が前記便座の表面から下方に１５±２ｃｍの距離を有するようにしてもよい。
【発明の効果】
【００１６】
本発明によれば、簡易な構成で、精度の高い検査が可能な便を確実に採取でき、採便前の設置や採便後の処理を容易にすることができる。
【図面の簡単な説明】
【００１７】
【図１】実施の形態に係る採便シートの外観図である。
【図２】（ａ）採便シートをシート面に水平かつシートの長手方向に垂直の方向から見た図である。（ｂ）採便シートをシート面に垂直の方向から見た図である。
【図３】採便シートを設置したトイレ装置を上方から見た図である。
【図４】（ａ）採便シートをトイレ装置に設置する途中の状態を示す側面図である。（ｂ）採便シートをトイレ装置に設置した状態を断面から見た図である。
【図５】採便シート上に便が載った状態を断面から見た図である。
【図６】他の例の採便シートを設置したトイレ装置を上方から見た図である。
【発明を実施するための形態】
【００１８】
（実施の形態）
本発明の実施の形態について図面を参照して詳細に説明する。
【００１９】
図１は、本実施の形態に係る採便シート１の外観図である。採便シート１は、図１に示すように、帯状のシートからなり、シートの長手方向の端部を互いに接合することにより環形状を有している。接合位置は任意の位置でよく、また、複数の位置で接合しても良い。図１は、位置Ａで接合した場合を示している。
【００２０】
採便シート１は、所定の耐水性及び水分散性を有する任意の素材からなり、従来の採便用シートで用いられている水溶性紙や水溶性フィルムから構成されてもよい。
【００２１】
図２（ａ）は、採便シート１をシート面に水平かつシートの長手方向に垂直の方向から見た図である。図２（ｂ）は、採便シート１をシート面に垂直の方向から見た図である。採便シート１の一部には、図２（ａ），（ｂ）に示すように撥水性材料１１を塗布している。
【００２２】
撥水性材料１１の塗布位置は、採便シート１をシートの全長の半分の長さに折り、上シート１２と下シート１３が重なった状態において、上シート１２及び下シート１３の両端から同距離の位置を含む一定の面積を有する領域の、同じ方向を向いた面のうち少なくともいずれか一方である。塗布する撥水性材料１１は、任意の材料でよく、例えば、蝋やワックス等の常温で固体の油脂である。図２において、撥水性材料１１を斜線で表しているが、撥水性材料１１は無色でも、任意の色を有してもよい。
【００２３】
この撥水性材料１１は、採便シート１使用時に排泄した便が載る位置に塗布している。採便シート１に撥水性材料１１を塗布することにより、尿や洗浄水等によりシートがもろくなるのを防ぐ事ができる。図２（ａ）に示すように上シート１２、下シート１３の上側の面両方に撥水性材料１１を塗布することが望ましいが、いずれか一方でもシートの強度維持に一定の効果は得られる。
【００２４】
また、採便シート１の上シート１２の外側の面には図２（ｂ）に示すように、排泄した便が乗る位置に目印１４を付している。つまり、撥水性材料１１が塗布された上シート１２上の領域に目印１４を付している。目印１４は上シート１２又は撥水性材料１１上に印刷をすることによって付する。
【００２５】
以上説明した採便シート１の使用方法について図面を使って説明する。
【００２６】
採便シート１は、洋式のトイレ装置２に設置される。洋式のトイレ装置２は便器２１と、便器２１の上部で設置角度を変更して上げ下げすることが可能な便座２２から構成される。図３は採便シート１を設置したトイレ装置２を上方から見た図である。図４（ａ）は採便シート１をトイレ装置２に設置する途中の状態を示す側面図であり、図４（ｂ）は採便シート１をトイレ装置２に設置した状態を断面Ｂから見た図である。断面Ｂは図３の点線Ｂに沿った紙面に垂直な面である。
【００２７】
採便シート１は、図３に示すように、環形状の内側に便座２２を通すことにより設置する。このとき、目印１４がトイレ装置２の上方を向いた面の中央に位置するように採便シート１を設置する。
【００２８】
より詳細には、図４（ａ）に示すように、便座２２を傾けて上げた状態で採便シート１の環形状の内側に便座２２を通す。このとき、採便シート１の長手方向に沿った縁を、便座２２の内側の後ろの縁に合わせるように設置するのが望ましい。これにより、図３に示すように排出口の上方に採便シート１が配置され、便の捕得が確実となる。このように採便シート１を設置した後、便座２２を下ろして水平にする。
【００２９】
トイレ装置２に採便シート１を設置したとき、図４（ｂ）に示すように、上シート１２の最低位置は便座２２の表面から下方に１５±２ｃｍの距離を有する位置がよく、より好ましくは１５ｃｍの距離を有する位置である。１３ｃｍより短い場合は、臀部に便が付着する虞があり不潔で望ましくない。また、１７ｃｍより長い場合は下シート１３の最低位置が水たまり２３に近くなり、洗浄水に触れる虞がある。その場合、便に洗浄水が混ざり診断の精度が低下するため望ましくない。
【００３０】
上シート１２の最低位置が便座２２の表面から下方に１５±２ｃｍの距離を有するという位置関係を満たすように、採便シート１の全長として便座２２のサイズに基づいた最適な長さを選択する。標準的なトイレ装置２においては、この位置関係を満たす採便シート１の全長（１周）は約１ｍである。
【００３１】
このようにして採便シート１をトイレ装置２に設置した状態で、使用者は便座２２に着座し、目印１４に合わせて排便する。
【００３２】
図５は採便シート１上に便２４が載った状態を断面Ｃから見た図である。断面Ｃは図３の点線Ｃに沿った紙面に垂直な面である。採便シート１上の便２４は、上シート１２、下シート１３により支えられるため、便２４の重量は矢印で示した４方向に分散されることとなる。例えば、採便シート１の幅が１０ｃｍであった場合、約６００ｇの重量に十分に耐えられる。
【００３３】
排便後、採取用のスティック等を用いて便を採取する。採取後は、便と採便シート１を水たまりに落とす。具体的には、採便シート１の上シート１２の両端近くをそれぞれ切断することにより、上シート１２と下シート１３を落下させる。その後、便と採便シート１を洗浄水と共に排出させる。
【００３４】
図６は、他の例の採便シート１を設置したトイレ装置２を上方から見た図である。採便シート１には、採便後の上シート１２の切断位置１５を点線で示している。これにより、使用者は採便シート１の使用後の処理を点線位置で切断することにより簡単に行うことができる。なお、採便シート１の切断位置１５に予めミシン目などの切れ目を形成してもよい。切れ目は、上シート１２の長手方向に直交する方向に２箇所形成する。
【００３５】
また、図６に示すように、採便シート１には、使用者に使用方法を説明するためのイラスト１６や説明書き１７を印刷しても良い。これにより、別途説明書を作成する必要もなく、使用者も採便シート１の使用方法を簡単に把握することができる。
【００３６】
以上説明したように、本実施の形態においては、採便シート１は、耐水性及び水分散性を有する帯状のシートからなり、シートの長手方向の端部を互いに接合することにより形成した環形状を有し、上シート１２及び下シート１３の両端から同距離の位置を含む領域の、同じ方向を向いた面に撥水性材料１１を塗布し、排便する位置に目印１４を付することとした。これにより、簡易な構成の採便シート１により、確実に便を採取でき、採便前の設置や採便後の処理が容易となる。また、便に洗浄水が触れることなく採便できるため、検査の精度が飛躍的に向上する。
【００３７】
このように本発明は、採便シートが耐水性及び水分散性を有する帯状のシートからなり、シートの長手方向の端部を互いに接合してなる環形状を有する構成とした。これにより、簡易な構成で精度の高い検査が可能な便を確実に採取でき、採便前の設置や採便後の処理を容易にすることができる。
【００３８】
なお、本発明は、上記実施の形態に限定されず、本発明の要旨を逸脱しない範囲での種々の変更は勿論可能である。
【００３９】
例えば、上記実施の形態において、上シート１２及び下シート１３の両端から同距離の位置を含む領域に撥水性材料１１を塗布するとしたが、撥水性材料１１を当該領域のシート材料に予め混入させるようにしてもよい。
【００４０】
また、採便シート１は帯状のシートからなるとしたが、その幅は一定でもよく、あるいは、便が載る位置の幅を他に比べて太くしてもよい。
【符号の説明】
【００４１】
１…採便シート
２…トイレ装置
１１…撥水性材料
１２…上シート
１３…下シート
１４…目印
１５…切断位置
１６…イラスト
１７…説明書き
２１…便器
２２…便座
２３…水たまり
２４…便
【要約】
【課題】簡易な構成で、精度の高い検査が可能な便を確実に採取でき、採便前の設置や採便後の処理が容易な採便シートを提供する。
【解決手段】採便シート１は、耐水性及び水分散性を有する帯状のシートからなり、シートの長手方向の端部を互いに接合することにより形成した環形状を有する。採便シート１の上シート１２及び下シート１３の両端から同距離の位置を含む領域の、同じ方向を向いた面に撥水性材料１１を塗布し、排便する位置に目印１４を付する。
【選択図】図１【図１】
0006047682.tif 000002
【図２】
0006047682.tif 000003
【図３】
0006047682.tif 000004
【図４】
0006047682.tif 000005
【図５】
0006047682.tif 000006
【図６】
0006047682.tif 000007